(57)【特許請求の範囲】
【請求項１】
入力した信号を増幅するスイッチングアンプと、
前記スイッチングアンプの出力信号から主信号成分のみを通過させる第１の通過帯域制限手段と、
前記第１の通過帯域制限手段から反射された帯域外成分を抽出する第１の信号抽出手段と、
前記第１の信号抽出手段で抽出した前記帯域外成分と前記主信号成分との差分周波数で発振する発振器と、
前記第１の信号抽出手段で抽出した前記帯域外成分と発振器の出力成分とを掛け合わせて周波数変換するミキサと、
前記ミキサの出力から主信号成分を通過させる第２の通過帯域制限手段と、
前記第１の通過帯域制限手段と前記第２の通過帯域制限手段の出力信号を合成する合成器と、を備えた、
高周波増幅装置。
【請求項２】
前記ミキサの出力端子と前記第2の通過帯域制限手段との間に、前記第2の通過帯域制限手段の反射波を抽出する第２の信号抽出手段を設け、
前記第２の信号抽出手段で抽出した反射波を直流電力に変換するＲＦ−ＤＣ変換部をさらに備えていることを特徴とする、
請求項１記載の高周波増幅装置。
【請求項３】
前記入力した信号は、パルス変調信号、PWM変調信号またはデジタル信号のうち少なくとも１つであることを特徴とする、
請求項１記載の高周波増幅装置。
【請求項４】
前記第１の通過帯域制限手段は、フィルタまたはアイソレータであることを特徴とする、
請求項１記載の高周波増幅装置。
【請求項５】
前記第２の通過帯域制限手段は、フィルタまたはアイソレータであることを特徴とする、
請求項１または２記載の高周波増幅装置。
【請求項６】
前記第１の信号抽出手段は、サーキュレータまたはデュプレクサであることを特徴とする、
請求項１記載の高周波増幅装置。
【請求項７】
前記第２の信号抽出手段は、サーキュレータまたはデュプレクサであることを特徴とする、
請求項２記載の高周波増幅装置。
【発明の詳細な説明】
【技術分野】
【０００１】
本発明は、例えばパルス変調高周波増幅器に利用される高周波増幅装置に関する。
【背景技術】
【０００２】
無線通信用送信アンプ装置の高周波増幅部の高効率化を実現する一つの手段として、高周波増幅部に飽和増幅器を使用することが可能となるパルス変調を用いた高調波増幅システムが提案されている。
【０００３】
近年では、パルス変調信号を用いた高周波増幅システムは、例えば、バンドパスΔΣ変調信号を入力信号として構成したものが研究されている。この変調信号の基本となるΔΣ変調は、１９６０年代初めに氏によって開発された（非特許文献１）。
【０００４】
また、バンドパスΔΣ変調を用いた高周波増幅システムは、例えばAntoine Frappeらにより提案された構成がよく知られている（非特許文献２）。
【０００５】
一方、このような入力信号を用いた高周波増幅システムは、高周波デバイスの動作効率を理想状態で１００％とすることが期待できるものの、当業者の間では既知のように、原理的にデジタルパルス信号生成時に、主信号以外の不要な帯域外成分が多数発生するので、高周波デバイスの総合出力電力から主信号成分のみを抽出した実質的な動作効率は、理想状態から大幅に下回るといった課題がある。
【０００６】
このような課題に対して、図１に示すように、高周波増幅器１２０の出力部に、帯域外の反射波を抽出するサーキュレータ１４０を有し、抽出した帯域外の反射波を整流部１３０で直流に変換して、高周波増幅器で電力を再利用するように構成したものが提案されている（特許文献１）。
【０００７】
このものによれば、入力信号をパルス信号とした高周波増幅器から出力される帯域外成分を抽出して直流に変換し、その直流に変換した電力を例えば高周波増幅部の駆動電力として再利用できるので、高周波増幅システム全体の動作効率を改善することができる。
【先行技術文献】
【特許文献】
【０００８】
【特許文献１】特開２００８−２７８０９７号公報
【非特許文献】
【０００９】
【非特許文献１】Ｈ．Ｉｎｏｓｅ、Ｙ．Ｙａｓｕｄａ、Ｊ．Ｍｕｒａｋａｍｉ、“Ａ  Ｔｅｌｅｍｅｔｅｒｉｎｇ  Ｓｙｓｔｅｍ  ｂｙ  Ｃｏｄｅ  Ｍｏｄｕｌａｔｉｏｎ  −Δ・ΣＭｏｄｕｌａｔｉｏｎ−”  ＩＲＥ  Ｔｒａｎｓ．  ｏｎ  ＳＥＴ、  ｖｏｌ．８、Ｎｏ．３、ｐｐ．２０５−２０９  Ｓｅｐ．１９６２．
【非特許文献２】Ｓａｍｕｌａｋ．Ａ、Ｆｉｓｃｈｅｒ．Ｇ、Ｗｅｉｇｅｌ．Ｒ、“Ｏｐｔｉｍｉｚｅｄ  ｄｅｌｔａ  ｓｉｇｍａ  ｍｏｄｕｌａｔｉｏｎ  ｆｏｒ  Ｃｌａｓｓ−Ｓ  ｐｏｗｅｒ  ａｍｐｌｉｆｉｅｒ  ｂａｓｅｄ  ｏｎ  ＧａＮ  ｓｗｉｔｃｈｉｎｇ  ｔｒａｎｓｉｓｔｏｒｓ”  ＩＥＥＥ  Ｒａｄｉｏ  ａｎｄ  Ｗｉｒｅｌｅｓｓ  Ｓｙｍｐｏｓｉｕｍ、Ｊａｎ．２００９、Ｐａｇｅｓ  ５４６−５４９．
【発明の概要】
【発明が解決しようとする課題】
【００１０】
しかしながら、特許文献１に記載されたものでは、帯域外の反射波を直流に変換し、直流に変換された電力を例えば高周波増幅部で再利用することで装置の効率を改善させるが、パルス変調信号を用いた高周波増幅システムでは、帯域外成分の電力は主信号成分の電力と比較して無視できないほど大きく、そのため、帯域外成分を含む総合出力電力の中から抽出できる主信号成分の電力は、高周波デバイスのもつ最大出力能力を明らかに下回るので、主信号成分が所望の出力電力を得るためには、最大出力能力が所望の出力電力より高いデバイスを使用する必要があり、すなわちコストアップにつながるという問題があった。
【００１１】
本発明は、このような従来の問題に鑑みてなされたものであり、出力される主信号の送信電力の向上と、装置の動作効率を改善することができるパルス変調高周波増幅装置を提供するものである。
【課題を解決するための手段】
【００１２】
本発明のパルス変調高周波増幅装置は、入力した信号を増幅するスイッチングアンプと、前記スイッチングアンプの出力信号から主信号成分のみを通過させる第１の通過帯域制限手段と、前記第１の通過帯域制限手段から反射された帯域外成分を抽出する第１の信号抽出手段と、前記第１の信号抽出手段で抽出した前記帯域外成分と前記主信号成分との差分周波数で発振する発振器と、前記第１の信号抽出手段で抽出した前記帯域外成分と発振器の出力成分とを掛け合わせて周波数変換するミキサと、前記ミキサの出力から主信号成分を通過させる第２の通過帯域制限手段と、前記第１の通過帯域制限手段と第２の通過帯域制限手段の出力信号を合成する合成器とを備えたことを特徴とする。
【００１３】
この構成により、本発明パルス変調高周波増幅装置は、出力される主信号の送信電力の向上と、装置の動作効率を改善することができる。
【発明の効果】
【００１４】
本発明のパルス変調高周波増幅装置によれば、スイッチングアンプから出力される帯域外成分をサーキュレータが抽出し、抽出された帯域外成分をミキサにより主信号成分の周波数に周波数変換し、周波数変換された成分と主信号成分とを合成器で電力合成されるので、出力される主信号の送信電力の向上と、装置の動作効率を改善することができる。
【００１５】
また、本発明のパルス変調高周波増幅装置によれば、帯域外成分を主信号に変換して再利用するため、高周波増幅部による帯域外成分の発生を減らすための高調波抑圧を意識した複雑な調整を不要とすることができる。
【図面の簡単な説明】
【００１６】
【図１】従来技術における高周波増幅装置の概略構成図
【図２】本発明の実施の形態１におけるパルス変調高周波増幅装置の概略構成図
【図３】本発明の実施の形態２におけるパルス変調高周波増幅装置の概略構成図
【図４】実施の形態１におけるバンドパスΔΣ変調信号のパルス波形を示す図
【図５】実施の形態１におけるバンドパスΔΣ変調信号のスペクトラム波形を示す図
【発明を実施するための形態】
【００１７】
（実施の形態１）
以下、本発明の実施の形態１について説明する。
【００１８】
図２は、本発明の実施の形態におけるパルス変調高周波増幅装置の概略構成図、図４は、バンドパスΔΣ変調器から出力された信号のパルス波形、図５は、バンドパスΔΣ変調器から出力された信号のスペクトラム波形である。
【００１９】
本発明の実施の形態におけるパルス変調高周波増幅装置は、図２に示すように、入力のパルス変調信号を増幅するスイッチングアンプ１と、スイッチングアンプ１の出力信号から主信号成分のみを通過させるバンドパスフィルタ２と、バンドパスフィルタ２から反射された帯域外成分を抽出するサーキュレータ３と、前記サーキュレータ３で抽出した帯域外成分と主信号との差分周波数で発振する発振器４と、前記サーキュレータ３で抽出した帯域外成分と発振器の出力とを掛け合わせて周波数変換するミキサ５と、前記ミキサの出力から主信号成分を通過させるバンドパスフィルタ６と、バンドパスフィルタ２とバンドパスフィルタ６の出力信号を合成する合成器７とから構成されている。
【００２０】
次に、本発明の実施の形態について、パルス信号をバンドパスΔΣ変調器で生成する構成を一例としてあげ、その動作を説明する。
【００２１】
図４に示すように、バンドパスΔΣ変調器の出力信号はパルス信号となる。このパルス信号を周波数軸で表現すると、図５に示すようにサンプリング周波数ｆｓに依存したエイリアス信号を含んだスペクトラムとなる。例えば、バンドパスΔΣ変調をサンプリング周波数ｆｓで行った主信号の周波数ｆｃ（式１）のエイリアス成分は（式２）で示す周波数ｆｎに発生し、n=1の成分が最大となり、その電力は主信号の１／１０程度となる。ここで、ｎは１から始まる整数である。ただし、この電力レベルの相対値は、ΔΣ変調器の回路構成により異なる。
【００２２】
0005382058.tif 000002
【００２３】
0005382058.tif 000003
【００２４】
ここで、（式３）で示す発振周波数ｆ０をもつ発振器４の出力信号と、帯域外に発生した周波数ｆｎの信号とをミキサ５で掛け合わせることにより、エイリアス信号成分の周波数を主信号と同じ周波数ｆｃへ周波数変換することができる。
【００２５】
0005382058.tif 000004
【００２６】
本発明の実施の形態では、図２に示すように、スイッチングアンプ１から出力される周波数ｆｎに含まれる帯域外のエイリアス信号成分は、サーキュレータ３により抽出され、ミキサ５により周波数ｆｃを中心とする信号に周波数変換された後、合成器７により主信号成分と合成する。
【００２７】
このように、本実施の形態によれば、不要な信号成分として電力の損失となる帯域外のエイリアス信号成分を、主信号成分と合成して装置から出力するため、出力される主信号の送信電力の向上と、装置の動作効率を改善することができる。
【００２８】
主信号の出力電力が６０Ｗ、装置の動作効率が７５％のバンドパスΔΣ変調高周波増幅装置を例に挙げ、本実施の形態の効果を説明する。従来のバンドパスΔΣ変調高周波増幅装置の構成では、３／４ｆｓの電力は、主信号周波数の１／４ｆｓの電力の約１／１０となり、トータル電力として６Ｗを無駄に消費する。本実施の形態によれば、この３／４ｆｓの電力を主信号周波数の１／４ｆｓに変換し、主信号と合成して出力することができるため、ミキサ５の周波数変換効率を９０％とすれば、合成できる電力は５．４Ｗとなり、装置の出力電力は最大で６５．４Ｗであるので、装置の動作効率は８１．８％に改善する。よって、本実施の形態の方法によれば、装置の出力電力を９％、動作効率の７５％に対して６．８ｐｔ（ポイント）改善することができる。
【００２９】
なお、ここで示した改善量は動作説明のための一例であり、装置の構成により異なる。
【００３０】
また、本実施の形態によれば、帯域外成分を主信号に変換して再利用するため、高周波増幅部による帯域外成分の発生を減らすための高調波抑圧を意識した複雑な調整を不要とすることができる。
【００３１】
なお、本実施の形態では、パルス変調信号を一例としてバンドパスΔΣ変調信号としているが、パルス変調信号はＰＷＭ変調信号や、その他のデジタル信号としてもよく、バンドパスΔΣ変調信号と同等の効果が得られる。
【００３２】
なお、本実施の形態では、帯域外成分を抽出する回路の一例としてサーキュレータを記載したが、当然のことながら、主信号成分と帯域外成分とに分離するデュプレクサや、その他の同様の機能を有する回路としても良く、サーキュレータと同等の効果が得られる。
【００３３】
なお、本実施の形態では、サーキュレータの出力にバンドパスフィルタを挿入したが、その他のフィルタやアイソレータなどの通過信号を帯域制限する回路を挿入してもよく、バンドパスフィルタを挿入する場合と同等の効果が得られる。
【００３４】
（実施の形態２）
以下、本発明の実施の形態２について説明する。
【００３５】
図３に、本発明の実施の形態２における概略構成図を示す。
【００３６】
本発明の実施の形態におけるパルス変調高周波増幅装置は、図３に示すように、前記実施の形態１のパルス変調高周波増幅装置が、ミキサ５の出力とバンドパスフィルタ６との間に、前記バンドパスフィルタ６の反射波を抽出するサーキュレータ８と、前記サーキュレータ８で抽出した反射波を直流電力に変換するＲＦ−ＤＣ変換器９とから構成されている。図中のＫは、ミキサ５から出力される主信号帯域以外の成分を示す。
【００３７】
このような構成とすることで、実施の形態１の効果に加え、ミキサ５から出力される主信号帯域以外の成分Ｋを直流電力として回収し、再利用することができる。実施の形態１で示したΔΣ高周波増幅装置を例にとるとミキサ５で発生する帯域外の電力は０．６Ｗであり、本実施の形態のように、ＲＦ−ＤＣ変換部を利用すれば、実施の形態１の装置効率の８１．８％に対して、さらに最大で１．５ｐｔ（ポイント）の装置効率の改善効果が見込まれる。
【００３８】
なお、ここで示した改善量は動作説明のための一例であり、装置の構成により異なる。
【産業上の利用可能性】
【００３９】
本発明は、主信号成分と同じ信号が高調波として繰り返し発生するあらゆる高周波増幅装置に有用である。
【符号の説明】
【００４０】
１    スイッチングアンプ
２    バンドパスフィルタ（第1の通過帯域制限手段）
３    サーキュレータ（第１の信号抽出手段）
４    発振器
５    ミキサ
６    バンドパスフィルタ（第２の通過帯域制限手段）
７    合成器
８    サーキュレータ（第２の信号抽出手段）
９    ＲＦ−ＤＣ変換器
【図１】
0005382058.tif 000005
【図２】
0005382058.tif 000006
【図３】
0005382058.tif 000007
【図４】
0005382058.tif 000008
【図５】
0005382058.tif 000009